(57)【要約】【課題】時系列的に蓄積された日常の個人健康情報からシステム利用者個人の健康管理に有用な個人健康管理情報をシステム利用者に提示するとともに、システム利用者の所属する団体にとって有用な健康管理情報を提示できる個人健康管理システムを提供すること。【解決手段】システム利用者の身体を計測して得られる１つ以上の健康データ項目と、該システム利用者の生活情報を表す１つ以上の生活習慣データ項目からなる時系列的に蓄積された個人健康情報を解析し、該健康データ項目と生活習慣データ項目間の相関ルールを自動生成するシステムに、該システム利用者の所属団体を識別する手段を加える。【選択図】              図１
2007188365.tif 000002
【特許請求の範囲】
【請求項１】
システム利用者の身体を計測して得られる１つ以上の健康データ項目と、該システム利用者の生活情報を表す１つ以上の生活習慣データ項目からなる時系列的に蓄積された個人健康情報を解析することにより該健康データ項目と生活習慣データ項目間の相関ルールを自動生成し、該相関ルールを該システム利用者に提示するシステムであって、該システム利用者の所属する団体を識別できる手段を具備することを特徴とする個人健康管理システム。
【請求項２】
前記健康データ項目と生活習慣データ項目間の相関ルールをシステム利用者の所属する団体毎にまとめて出力し、該団体毎に提示できることを特徴とする請求項１に記載の個人健康管理システム。
【請求項３】
前記健康データ項目と生活習慣データ項目の中に、システム利用者の所属する団体の少なくとも１つ以上の関心データ項目を含むことを特徴とする請求項１及び請求項２に記載の個人健康管理システム。
【請求項４】
前記団体毎にまとめて該団体毎に提示する相関ルールは、該団体毎の関心データ項目に関わる相関ルールに限定されることを特徴とする請求項１から請求項３に記載の個人健康管理システム。
【請求項５】
前記時系列的に蓄積された個人健康情報の入力手段がシステム利用者の携帯電話などの携帯端末であり、該個人健康情報はインターネット経由で該個人健康情報を解析する健康管理サーバに送信され、自動生成された前記健康データ項目と生活習慣データ項目間のすべての相関ルールがインターネット経由で該システム利用者の携帯電話などの携帯端末に送信されることを特徴とする請求項１から請求項４に記載の個人健康管理システム。
【請求項６】
前記時系列的に蓄積された個人健康情報の入力手段がシステム利用者の携帯電話などの携帯端末であり、該個人健康情報はインターネット経由で該個人健康情報を解析する健康管理サーバに送信され、自動生成された前記健康データ項目と生活習慣データ項目間の相関ルールの中で、該システム利用者の所属団体の関心データ項目に関わる相関ルールのみがインターネット経由で該システム利用者の所属団体のコンピュータに送信されることを特徴とする請求項１から請求項４に記載の個人健康管理システム。
【発明の詳細な説明】
【技術分野】
【０００１】
本発明は、システム利用者の時系列的に蓄積された日常の個人健康情報をもとに健康管理に有用な情報をシステム利用者に提示する個人健康管理システムに関する。
【背景技術】
【０００２】
従来の健康管理の殆どは、定期健康診断や人間ドックで得られる健康情報に基づいて行われている。しかしこれらの健康情報は、定期健康診断や人間ドックを実施した時点のみを切り取ったデータである。したがって、これらのデータのみから、日常の健康管理を行うための健康管理情報を抽出するのには限界がある。そこで日常の生活環境における健康情報を蓄積し、病気の一次予防や健康増進に役立てることを目的としたシステムが考案されている。
【０００３】
例えば、特許文献１には、利用者に装着された測定装置によって測定される日常の健康情報を、健康管理情報センタで管理し、要求された健康情報を利用者に提供して利用者の健康管理を支援する健康情報管理方法が提案されている。
【０００４】
【特許文献１】特開２００２−２４５１７７号公報（請求項１、図１）
【発明の開示】
【発明が解決しようとする課題】
【０００５】
しかしながら、特許文献１の発明にはシステム利用者個人の健康情報を管理するためのシステムの構成や機能について述べられているが、時系列的に蓄積された個人健康情報からシステムの利用者が健康管理を行う上で有用となる個人健康管理情報を抽出しそれをシステム利用者に提示する方法については述べられていない。さらに、最近では企業など団体で従業員の健康管理を行うニーズが高まっており、システム利用者の所属する団体毎に健康管理情報を提示することが求められている。
【０００６】
従って本発明の課題は、時系列的に蓄積された日常の個人健康情報からシステム利用者個人の健康管理に有用な個人健康管理情報をシステム利用者に提示するとともに、システム利用者の所属する団体に有用な健康管理情報を提示できる個人健康管理システムを提供することである。
【課題を解決するための手段】
【０００７】
前記の課題を解決するためになされた本発明に係る個人健康管理システムは、システム利用者の身体を計測して得られる１つ以上の健康データ項目と、該システム利用者の生活情報を表す１つ以上の生活習慣データ項目からなる時系列的に蓄積された個人健康情報を解析し、該健康データ項目と生活習慣データ項目間の相関ルールを自動生成するシステムであって、該システム利用者の所属団体を識別できる手段を具備することを特徴とする。これにより、該システム利用者の所属する団体毎に健康管理情報を提示することができる。
【発明の効果】
【０００８】
本発明によれば、時系列的に蓄積されたシステム利用者の日常における健康データと生活習慣データから個人の健康管理に有用な個人健康管理情報をシステム利用者に提示できるのみでなく、システム利用者が所属する団体として必要とする健康管理情報をシステム利用者が所属する団体に提示することができるようになる。
【発明を実施するための最良の形態】
【０００９】
システム利用者は図１に示す構成のシステムを用い、携帯電話から個人毎に利用者登録を行い、日常の健康データと生活習慣データを入力・送信する。これらのデータはインターネット経由で時系列的にデータベースに蓄積される。システムは蓄積された健康データと生活習慣データの数を定期的に監視しており、データ数がある閾値以上になると自動的に健康データと生活習慣データを健康管理サーバに取り込み、相関ルール解析を行う。システム利用者が入力・送信するデータ項目は予めシステム利用者の関心事とシステム利用者が所属する団体の関心事をもとに登録されている。また利用者登録時には、生年月日、性別、身長、飲酒の有無、喫煙の有無、の他にシステム利用者が所属する団体を識別する団体識別コードを登録する。
【００１０】
図２に本発明の個人健康管理システムを運用するサービスプロバイダのサービス形態を示す。サービスプロバイダは、システム利用者個人には登録した全てのデータ項目に関して抽出された相関ルールをシステム利用者の携帯電話に通知する。また、システム利用者が所属する団体には、団体の関心データ項目についての相関ルールのみを団体識別コードに基づいて団体毎に通知する。当該団体は予め、サービスプロバイダとの契約時に団体の関心データ項目を登録しておく。これにより、システム利用者個人のプライバシーと団体の関心事を切り分けることができる。当然システム利用者個人は、団体の関心データ項目を周知してデータを入力・送信するとともに、これに関わる相関ルールは団体に通知されることを承諾している。
【実施例】
【００１１】
以下、本発明の実施の形態を、システム利用者個人に関心のある健康データ項目を体脂肪率とウェストサイズ、生活習慣データ項目を運動よる消費カロリーと食事による摂取カロリー、システム利用者が所属する団体に関心のある健康データ項目を血圧、生活習慣データ項目を残業時間とストレスとして説明する。
【００１２】
システム利用者は、個人としてサービスプロバイダと契約し利用者登録する。この時、個人基本情報に加え、システム利用者が所属する団体の識別コードを登録する。団体識別コードは所属団体から知らされている。次に、健康データ項目として、体脂肪率、ウェストサイズおよび血圧を、生活習慣データ項目として、運動による消費カロリー、食事による摂取カロリー、残業時間、ストレスを登録する。血圧、残業時間、ストレスに関しては所属団体からデータの取り方・データの入力形式などが指示されている。そして、日々のデータ入力が開始される。
【００１３】
システム利用者個人は、登録したすべてのデータ項目についてグラフによるデータ参照機能など、サービスプロバイダが提供するサービスをすべて享受できる。データがある程度蓄積されると、プロバイダの健康管理サーバが健康データ項目と生活習慣データ項目の間の相関ルール解析を行う。登録した全てのデータ項目に関わる全ての相関ルールがシステム利用者の携帯電話に通知される。そしてその中で、血圧と残業時間およびストレスに関わる相関ルールは同じ団体に所属する他のシステム利用者の相関ルールとともにシステム利用者の所属団体のコンピュータに通知される。システム利用者が所属する団体では、通知された血圧と残業時間およびストレスに関わる相関ルールを従業員の労務管理や健康管理に役立てる。
【００１４】
システム利用者の所属団体は、契約時にサービスプロバイダに団体の関心データ項目が血圧、残業時間、ストレスであることを登録し、サービスプロバイダは団体識別コードを団体に通知する。サービスプロバイダの健康管理サーバは団体識別コードと登録された団体の関心データ項目名に基づいて、該当する相関ルールを選択出力しインターネット経由で当該団体のコンピュータに送信する。
【００１５】
このように、本発明の個人健康管理システムを用いることにより、システム利用者個人の関心事である体脂肪率とウェストサイズに関する相関ルールは所属団体に知られることなくシステム利用者個人のみに通知され、システム利用者が所属する団体の関心事である血圧、残業時間、ストレスに関する相関ルールのみが団体に通知される。これにより、システム利用者個人のプライバシーを保ちつつ個人の健康管理を実施できるばかりでなく、システム利用者が所属する団体として労務管理や健康管理に必要な情報を得ることができる。
【図面の簡単な説明】
【００１６】
【図１】本発明の個人健康管理システムのシステム構成を示す図である。
【図２】本発明の個人健康管理システムを用いたサービス形態の例を示す図である。
【図１】
2007188365.tif 000003
【図２】
2007188365.tif 000004